(57)【要約】【課題】  感光体ドラムや現像器等のＬＥＤヘッドの近傍に配設される消耗部品を装置本体から取り外す際に、ＬＥＤヘッドをこれ等の部材から離間させておくことにより、飛散するトナーによりＬＥＤヘッドが汚されることを防止できるようにする。【解決手段】  一様に帯電された感光体ドラム１１の表面に、画像の光を照射して静電潜像を形成するために、ＬＥＤヘッド１５を用いてなる画像形成装置１において、装置本体に配置する感光体ドラム１１に対して、ＬＥＤヘッド１５を書込み位置まで近接させること、または、取り外し位置に対応させて、離間させる位置との間を移動可能に設ける。そして、フロントカバー６０を開閉する動作に連動させて、前記ＬＥＤヘッド１５の感光体ドラム１１に対する間隔を変化させ得るようにする。【選択図】          図６
2006018127.tif 000002
【特許請求の範囲】
【請求項１】
一様に帯電された感光体ドラムの表面に、画像の光を照射して静電潜像を形成するために、ＬＥＤヘッドを用いてなる画像形成装置であって、
前記画像形成装置の装置本体に配置する感光体ドラムに対して、ＬＥＤヘッドを近接および離間可能に配置し、
前記装置本体のフロントカバーを開閉する動作に連動させて、前記ＬＥＤヘッドの感光体ドラムに対する間隔を変化させるように構成したことを特徴とする画像形成装置。
【請求項２】
前記感光体ドラムは、前記フロントカバーを開いた状態において、装置本体のフロント側から着脱可能であり、
前記フロントカバーを開く動作に連動させて、前記ＬＥＤヘッドを感光体ドラムから離間する方向に移動することを特徴する請求項１に記載の画像形成装置。
【請求項３】
前記フロントカバーを開閉する動作と、ＬＥＤヘッドを感光体ドラムに対して、近接および離間させる動作を連動させる手段はワイヤであって、
前記ワイヤの一端が前記フロントカバーの内面に突出させて設けた突部材により揺動される揺動部材に取付けられ、他端がＬＥＤヘッドを押圧する押圧部材に取付けられることを特徴とする請求項１または２に記載の画像形成装置。
【発明の詳細な説明】
【技術分野】
【０００１】
本発明は、一様に帯電された感光体ドラムに静電潜像を形成するために、書込み手段として発光ダイオード（ＬＥＤ）ヘッドを用いた画像形成装置に関し、特に、装置本体のフロントカバーを開く動作に連動させて、ＬＥＤヘッドを感光体ドラムから離間させるようにした画像形成装置に関する。
【背景技術】
【０００２】
画像形成装置において、感光体ドラムに画像情報を書込みするために、書込み装置としてレーザ光を用いた装置を用いる他に、発光ダイオード（ＬＥＤ）を用いた装置を用いることも一般的に行われている。前記ＬＥＤを用いた書込み装置においては、ＬＥＤ素子にレンズ集合体（セルフォックレンズ）とを組み合わせて、感光体ドラムの表面に対して点状に光を照射するように設けている。そして、画像記録装置の画像情報出力回路からＬＥＤ素子の各々に画像情報が伝達され、一様に帯電された感光体ドラムに対して、点状に画像の光が照射されて静電潜像が形成される。前記静電潜像に対して、現像ローラからトナーが供給されることにより、静電潜像我トナー画像として可視像化され、用紙に対する転写位置で、用紙の裏面から逆極性の電圧が印加されることにより、前記感光体ドラムに担持されているトナー画像が用紙に転写される。そして、前記トナー画像を担持する用紙を定着装置を通して定着することで、記録紙（コピー）として排出トレイに向けて排出される（例えば、特許文献１を参照）。
【特許文献１】特開２００３−２５５８０５号公報
【発明の開示】
【発明が解決しようとする課題】
【０００３】
前述したようなＬＥＤヘッドを用いた画像形成装置においては、ＬＥＤ素子から照射される光の焦点距離が短いために、ＬＥＤヘッドの光照射面を感光体ドラム表面に近接して配置しなければならず、また、感光体ドラム上の静電潜像を現像するために、現像装置の現像ローラを感光体ドラムに近接または、接触する位置まで近付ける必要がある。前記感光体ドラムおよび現像装置は消耗部品であり、これらの部材の本来の作用が正常に行われないときには、これらの部品を装置本体から取り外して、正常なものに交換することが必要となる。前述したように、感光体ドラムおよび現像装置とＬＥＤヘッドとは、各々が非常に近接した位置に配置されているものであるため、これらの部材を装置本体から取り外す際に、感光体ドラム表面のトナーや、現像ローラ表面のトナーが遊離し、ＬＥＤヘッドの光照射面に付着するおそれがあった。
【０００４】
本発明は、感光体ドラムや現像装置等のＬＥＤヘッド近傍に配設される消耗部品を装置本体から取り外す際に、ＬＥＤヘッドをこれらの部材から離間した位置に移動させておくことによって、これらの消耗部品の取り外し処理時に。ＬＥＤヘッドが汚染されることを防止する画像形成装置を提供することを目的とする。
【課題を解決するための手段】
【０００５】
本発明は、一様に帯電された感光体ドラムの表面に、画像の光を照射して静電潜像を形成するために、ＬＥＤヘッドを用いてなる画像形成装置に関する。
請求項１の発明は、前記装置本体に配置する感光体ドラムに対して、ＬＥＤヘッドを近接および離間可能に配置し、前記画像形成装置の装置本体のフロントカバーを開閉する動作に連動させて、前記ＬＥＤヘッドの感光体ドラムに対する間隔を変化させるように構成したことを特徴とする。
【０００６】
請求項２の発明は、前記感光体ドラムは、前記フロントカバーを開いた状態において、装置本体のフロント側から着脱可能であり、前記フロントカバーを開く動作に連動させて、前記ＬＥＤヘッドを感光体ドラムから離間する方向に移動することを特徴する。
【０００７】
請求項３の発明は、前記フロントカバーを開閉する動作と、ＬＥＤヘッドを感光体ドラムに対して、近接および離間させる動作を連動させる手段はワイヤであって、
前記ワイヤの一端が前記フロントカバーの内面に突出させて設けた突部材により揺動される揺動部材に取付けられ、他端がＬＥＤへ都度を押圧する押圧部材に取付けられることを特徴とする。
【発明の効果】
【０００８】
本発明によれば、画像形成装置の記録部に配置している機器、例えば、感光体ドラムや現像装置を取り外す際に、最初に行われるところの装置本体のフロントカバーを開く動作に連動して、ＬＥＤヘッドが感光体ドラムから自動的に離間する。したがって、画像形成装置のメンテナンスを行う際、具体的には、感光体ドラムや現像装置を装置本体から取り外す動作を行う際には、その前の段階でＬＥＤヘッドか感光体ドラムから離間しているので、感光体ドラムや現像装置からトナーが舞い散ったとしても、ＬＥＤヘッドの光照射面がトナーによって汚されることが防がれる。特に、感光体ドラムや現像装置を装置本体から取り外す際に、必ず開かなくてはならないフロントカバーの開動作に連動させて、ＬＥＤヘッドを感光体ドラムから離間させておくことにより、ユーザーが感光体ドラムや現像装置を取り外す際に、ＬＥＤヘッドを離間させるための操作を負担する必要もない。
【発明を実施するための最良の形態】
【０００９】
以下に説明する画像形成装置は、電子写真方式を用いて用紙に画像を記録する画像形成装置を対象としている。また、単独の機能のみを有するプリンタ、複写機の他に、ファクシミリやプリンタの機能を複写機に複合した複合機を対象とすることもできる。以下の実施例として説明する画像形成装置においては、一様に帯電された感光体ドラムの表面に画像の書込みを行うために、ＬＥＤヘッドを用いている。
【実施例】
【００１０】
図示される例にしたがって、本発明の実施の一形態の画像形成装置の概略構成を説明する。図１に示す画像形成装置１はプリンタ機能を有する小型の装置であり、この画像形成装置１に画像読取装置を接続することによって、複写機としての機能を持たせることができ、また、ＦＡＸモデムを装備することによって、ファクシミリ装置としての機能を持たせることができる。前記画像形成装置１において、装置本体の下部の給紙部と上部に設けている排出トレイ１９との間に、略垂直方向に延びる用紙搬送路４が設けられている。前記画像形成装置下部の給紙部には給紙トレイ２が装備され、給紙ローラ３によって給紙トレイ２上の用紙束から１枚ずつ用紙が分離され、用紙が用紙搬送路４に送り出される。送り出された用紙は、レジストローラ装置５に一時的に保持されて停止され、感光体ドラム１１に形成されたトナー画像とタイミングが合うように再び送り出される。
【００１１】
前記レジストローラ装置５の下流部（図１の上側）には、記録部１０が設けられており、前記記録部１０には、感光体ドラム１１とクリーニング装置１２、帯電部材１３および転写ローラ１４が、それぞれの配置関係にしたがって設けられている。さらに、前記感光体ドラム１１に画像情報の書込みを行うために、ＬＥＤヘッド１５が感光体ドラムに近接して設けられている。このＬＥＤヘッド１５は、複数個の発光素子（ＬＥＤ）の発光面側にセルフォックレンズを張り合わせたもので、少なくとも画像形成時には、その発光面が感光体ドラム１１の表面に８〜１０ｍｍ程度まで近接させて位置される。また、前記ＬＥＤヘッド１５よりも感光体ドラムの回転方向の下流側には、トナーを供給するための現像ローラ８を配置している。
【００１２】
前記記録部１０においては、前記感光体ドラム１１に帯電手段１３が放電することで、感光体ドラム１１の表面が一様に帯電され、ＬＥＤヘッド１５から出力された光信号によって、感光体ドラム１１の感光層に静電潜像が形成される。前記静電潜像に対して現像ローラ８からトナーを供給し、トナーが感光体ドラム１１の静電潜像に付着されることによって、可視像としてのトナー画像が形成される。前記感光体ドラム１１上のトナー画像の先端部が、転写ローラ１４とのニップ位置に達するタイミングに合わせて、レジストローラ装置５が駆動されて用紙が画像転写位置に向けて送られる。そして、感光体ドラム１１と転写ローラ１４の間で用紙をニップした状態で、用紙が搬送されながら、用紙の裏面側に転写ローラ１４により転写電圧が印加されることによって、トナー画像が用紙上に転写される。前記トナー画像を担持する用紙は、定着装置１６にけて送り出される。
【００１３】
前記した現像ローラ８を備える現像器７は、図示されるように、装置本体の現像器７の装着スペースが上下方向に間隔が狭いことから、上下方向に薄くて、左右方向に巾の広いトナー収容ケーシングを有している。このケーシングは、左右方向に複数の室を持つように構成され、各室毎に回転軸がそれぞれ平行となるように配置され、各回転軸に各室内のトナーを攪拌するとともに、現像ローラ８の側の室に向けて送り出すためのパドル９を取り付けている。そして、現像ローラ８の隣室から送り出されたトナーが、現像ローラ８の表面に薄層状態で担持され、感光体ドラム１１とのニップ部で、前記静電潜像にトナーを移転させることによって、可視像化されたトナー画像が、感光体ドラム１１の表面に形成されることになる。
【００１４】
前記定着装置１６は、トナー画像を担持した用紙に対して加熱と加圧作用を付与し、熱で溶融されたトナーが用紙に押圧されて定着される。そして、定着装置を通過してトナー画像が定着された用紙は、排出路１７を通って排出ローラ装置１８によって、排出トレイ１９上に排出される。なお、本実施例に示す画像形成装置１は、表面に画像が形成された用紙（表面記録済み用紙）を、その表裏を反転させて記録部１０に戻してから、用紙の裏面にも画像を記録する、両面記録可能な装置として構成されている。
【００１５】
前記画像形成装置１においては、両面記録可能に構成するために、前記排出路１７の端部に配置している排出ローラ装置１８を、正逆転可能な装置として構成している。前記定着装置１６から排出ローラ装置１８に至る排出路１７は、切換ゲート２１を配設した位置において、戻し路２０に連結されている。定着装置１６を出た表面記録済み用紙は、その用紙自体の紙の腰の強さによって、切換ゲート２１を押し上げて排出路１７に流入し、正回転している排出ローラ装置１８によって、排出トレイ１９上に排出されることになる。これに対して、用紙の裏面に画像を記録する場合には、用紙を全て排出する前に排出ローラ装置１８を逆回転させて、排出路１７内の用紙を逆方向に送り出す。
【００１６】
前記逆方向に送り出された用紙は、排出路１７および切換ゲート２１の上面に案内されながら戻し路２０内に流入し、戻し路２０内に配設された搬送ローラ装置２２、２２ａにより、用紙は再び記録部１０に向けて送り出される。このときに、用紙の裏面が感光体ドラム１１の表面に臨み、用紙の表面に記録する場合と同様の動作が繰り返されて、記録部１０で用紙の裏面に画像が記録されることになる。なお、本実施例に示す画像形成装置１においては、手差しトレイ２５を配設しており、給紙ローラ２６によって記録部１０に向けて給紙される。
【００１７】
前記感光体ドラム１１および現像器７は、いずれも消耗品であり、感光体ドラム１１が使用により劣化したり、現像器７のケーシング内のトナーが不足して、その本来の機能を発揮できなくなった時には、画像形成装置のオペレータによって交換される。これらの消耗品１１、７は、装置本体のフロント側に取付けたフロントカバー（図１０参照）が開かれた状態で、装置のフロント側に引き抜かれて装置本体から取り外されて、装置本体の奥の側に押し込まれて、その押し込まれた位置に保持されるように構成されている。
【００１８】
本発明は、前記感光体ドラム１１または現像器７を装置本体から取り外す際に、前記感光体ドラム１１や現像ローラ８に付着しているトナーが舞い散り、ＬＥＤヘッド１５のレンズ面を汚染する恐れがあるという問題に対処しようとするものである。そのために、これらの消耗部品１１、７が装置本体から取り外す際には、ＬＥＤヘッド１５をこれらの消耗品１１、７から離間させておくことを特徴としているものである。前記ＬＥＤヘッド１５は、図２〜図５に示すような構成を有するものであり、図２の分解斜視図に示すような複数の構成部品を、図３の組み立て斜視図に示すように組み立てている。装置本体のフレーム４０に取付けられるＬＥＤヘッド１５は、ＬＥＤ本体３０、保持枠部材３３、被押圧板４２および、これ等を組立るための各機能部品としてのネジ部材３６ｂ、コイルバネ３８と４３とから構成されている。
【００１９】
前記ＬＥＤ本体３０の筐体内に、複数のＬＥＤ素子を配列した基板が収容されており、そのＬＥＤ素子の発光面側に、光出力部としてのセルフォックレンズ３１が、ＬＥＤ本体３０に筐体の下端面よりも突出して固定されている。前記セルフォックレンズ３１の端部が感光体ドラム１１の表面に対して、約８〜１０ｍｍの間隔が空くように位置決めされた状態で、感光体ドラム１１の表面に向けて、画像情報に応じた光信号が出力される。
【００２０】
図４および図５に示すように、ＬＥＤ本体３０の筐体の長手方向両側壁に、外側に突出する突部材３２が形成されている。前記ＬＥＤ本体３０は、その周囲と上部とが、フレーム４０と保持枠部材３３等により囲まれた状態で、前記突部材３２を保持枠部材３３の両側板３４に穿設したガイド孔３５にはめ込んで、このガイド孔３５の長手方向（図５の上下方向）に摺動自在に保持枠部材３３に保持されている。前記保持枠部材３３の天板３３ａの長手方向両端から上突部材３７が上側に突出されており、この上突部材３７の内部に図示を省略する円柱状の凹所が形成されている。前記上突部材３７の凹所内に圧縮コイルバネ３８が介挿され、この圧縮コイルバネ３８は、ＬＥＤ本体３０の筐体の上面を押圧する。そして、前記ガイド孔３５の確定する下面にＬＥＤ本体３０の突部材３２の下面が当接し、ＬＥＤ本体３０の保持枠部材３３に対する位置決めがなされる。
【００２１】
前記保持枠部材３３に保持されたＬＥＤ本体３０は、装置本体のフレーム４０と感光体ドラム１１の間に配置され、装置本体のフレーム４０に近接・離間する方向（感光体ドラム１１の表面に対して離間・近接する方向）に変位させることができる。なお、前記フレーム４０は板状の部材であって、その長手方向両端に孔４１ａが穿設され、これらの孔４１ａに円柱状のガイドロッド３６が挿通されるもので、前記ガイドロッド３６は、保持枠部材３３の天板３３ａの長手方向両端部に形成されている部材である。前記フレーム４０の上側には長い板状の被押圧板４２が配置され、ガイドロッド３６が孔４１ａに挿通された状態で、被押圧板４２の長手方向端部とガイドロッド３６とをネジ部材３６ｂで締結することで、前記被押圧板４２と保持枠部材３３とが固定される。このように、被押圧板４２と保持枠部材３３とを組み付けることによって、保持枠部材３３に保持されたＬＥＤ本体３０は、フレーム４０に対して被押圧板４２と一体的に、感光体ドラム１１に離間・近接する方向に移動可能となる。
【００２２】
また、前記フレーム４０の上面には、孔４１ａの内側寄りの位置に、上側に開口した凹部４１ｂが形成され、前記被押圧板４２の下面には、両端よりも内側寄りの位置に、下側に開口する凹部（図示を省略）が形成されている。そして、前記ＬＥＤ本体３０、保持枠部材３３および被押圧板４２からなるＬＥＤヘッド１５を、フレーム４０に取付けた状態では、フレーム４０の凹部４１ｂと被押圧板４２の凹部とが対向し、圧縮コイルバネ４３の一端がフレーム４０の凹部４１ｂに嵌め込まれ、他端が被押圧板４２の凹部に嵌め込まれている。前記圧縮コイルバネ４３は、被押圧板４２をフレーム４０から離間させる方向に常に付勢している部材である。
【００２３】
したがって、被押圧板４２に締結された保持枠部材３３に対して、ＬＥＤ本体３０が保持されていることから、前記ＬＥＤ本体３０がフレーム４０に近接する方向に、常に付勢されていることになる。そこで、被押圧板４２に力が作用していない状態では、圧縮コイルバネ４３のバネ力によって、被押圧板４２がフレーム４０から離間した位置、つまり、保持枠部材３３およびＬＥＤ本体３０がフレーム４０に近接し、かつ、感光体ドラム１１から離間した位置に移動することになる。このままで、ＬＥＤ本体３０がフレーム４０側に移動すると、保持枠部材３３の上突部材３７がフレーム４０に突き当たって、それ以上の移動されることが阻止されることになるが、フレーム４０には前記上突部材３７を逃がすための貫通孔４１が穿設されているため、ＬＥＤ本体３０はできるだけ感光体ドラム１１の表面から離間することができる。
【００２４】
感光体ドラム１１に対する書込み位置に、前記ＬＥＤヘッド１５を移動させる際に、前記押圧手段５０が作動されて、押圧レバー４５によりＬＥＤヘッド１５（詳しくは、被押圧板４２）が押圧されると、ＬＥＤヘッド１５は圧縮コイルバネ４３の力に抗って、感光体ドラム１１の表面に向けて接近される。そして、感光体ドラム１１または現像器７を取り外すために、フロントカバー６０を開いた状態では、被押圧板４２に対する押圧力が付与されない状態となる。したがって、圧縮コイルバネ４３のバネ力によって、ＬＥＤヘッド１５が感光体ドラム１１から離間した位置に保持されている。
【００２５】
したがって、前記現像器７を収容スペース７ａから引き出す際に、現像ローラ８に付着していたトナーが舞い散ったとしても、前記ＬＥＤヘッド１５は感光体ドラム１１および現像器７から離れた位置に退避しているために、そのレンズ面がトナーによって汚染されることを抑えることができる。他方、前記感光体ドラム１１および現像器７を装着して、フロントカバー６０を閉じた状態では、前記被押圧板４２に押圧力が作用する。この状態において、ＬＥＤヘッド１５は圧縮コイルバネ４３のバネ力に抗して、レンズを感光体ドラム１１表面に近接させた位置に押圧保持する。
【００２６】
前述したような作用を奏する押圧手段５０においては、図６〜図１０に示すように、装置本体のフレーム４０の上面から立設する一対のブラケット４７に、シャフト４６が回転可能に支持され、自軸回りに回転するシャフト４６に対して、所定の間隔を介して２つの押圧レバー４５が固定保持されている。そして、前記シャフト４６の長手方向中央部に動作レバー４８が固定され、この動作レバー４８に連動手段としてのワイヤ４９の一端が接続されている。なお、これらのシャフト４６、押圧レバー４５および動作レバー４８によって、押圧部材が構成される。
【００２７】
前記装置本体のフレーム４０の上面の略中央位置に、ワイヤ４９にテンションを付与する張力付与手段としてのプーリ５５が取付けられる。また、フレーム４０に対してそのフロント側の位置に、揺動部材としての動作アーム５１が、その支点部において、支軸５２に対して鉛直軸線回りに回転可能に取り付けられている。前記動作アーム５１の作用点側に、前記ワイヤ４９の他端が接続されて、各端がそれぞれ動作アーム５１および動作レバー４８に接続されたワイヤ４９が、張力を付与されるような状態で、前記プーリ５５に巻き掛けられている。
【００２８】
前記装置本体のフロント側に、ヒンジ６１によって開閉可能に取付けられたフロントカバー６０の内面には、内面側に大きく突出するような突部材としてのリブ６２が形成されている。前記フロントカバー６０をオペレータが閉じる動作に伴って、前記リブ６１が動作アーム５１の力点部Ａを、図８の鎖線で示す装置のフロント側寄りの非作用位置から、実線で示すような、装置のリヤ側の作用位置に押しやることになる。その動作により、動作アーム５１の作用点部Ｂが、図８の鎖線で示す装置のリヤ側寄りの非作用位置から、実線で示す装置のフロント側の作用位置に変位し、ワイヤ４９によって動作レバー４８が引っ張られ、シャフト４６が回転して、押圧レバー４５が軸回りに傾倒し、ＬＥＤヘッド１５の被押圧板４２を押圧する。本実施例の画像形成装置１では、前記動作によってフロントカバー６０を閉じる動作に連動して、押圧レバー４５がＬＥＤヘッド１５を押圧し、ＬＥＤヘッド１５は圧縮コイルバネ４３のバネ力に抗して、感光体ドラム１１側に接近するように配置される。そして、フロントカバー６０を装置本体に対して閉じた位置に保持することにより、ＬＥＤヘッド１５が感光体ドラム１１に近接した位置に保持される。
【００２９】
前記フロントカバー６０を開くと、リブ６２が動作アーム５１の力点部Ｂに作用しなくなるので、圧縮コイルバネ４３のバネ力によって、被押圧板４２がフレーム４０から離間する位置に押しやられ、ＬＥＤヘッド１５が感光体ドラム１１から離間する。前記被押圧板４２の動作によって、押圧レバー４５も図６に実線で示す作用位置から、鎖線で示す非作用位置に変位し、ワイヤ４９を介して動作アーム５１が、図８に実線で示す位置から、鎖線で示す位置に変位することになる。
【００３０】
このように、フロントカバー６０を開いた状態では、押圧レバー４５がＬＥＤヘッド１５に作用することがなくなるが、より確実にＬＥＤヘッド１５を押圧しないようにするためには、コイルバネ４９Ｂを用いると良い。本実施形態においては、動作アーム５１の作用点部Ｂにコイルバネ４９Ｂの一端を接続し、他端を図示しないブラケットに接続して、リブ６２が力点部Ａを押圧していない場合に、前記コイルバネ４９Ｂのバネ力によって、動作アーム５１を図８の仮想線で示す非作用位置に復帰させるように構成することができる。また、前記シャフト４６に対して、図示を省略するが、トーションスプリングを取付け、フロントカバー６０が開かれて、リブ６２による押圧が解除されたときには、前記トーションスプリングのバネ力で、押圧レバー４５を図６の鎖線で示す非作用位置に戻すように構成しても良い。
【００３１】
前述したように構成した本発明の画像形成装置１においては、感光体ドラム１１や現像器７を取り外す際に、フロントカバー６０を開くという、必ず行う動作に連動して、ＬＥＤヘッド１５が感光体ドラム１１から自動的に離間する。したがって、画像形成装置１のメンテナンスを行う際、具体的には、感光体ドラム１１や現像器７を装置本体から取り外す際には、ＬＥＤヘッド１５が感光体ドラム１１から離間しているので、感光体ドラム１１や現像ローラ８からトナーが舞い散ったとしても、ＬＥＤヘッド１５の光照射面がトナーによって汚されることが防がれる。特に、感光体ドラム１１や現像器７を装置本体から取り外す際に、必ず開かなくてはならないフロントカバー６０を開くという動作に連動させているのである。つまり、前記フロントカバー６０を開く動作と、ＬＥＤヘッド１５を感光体ドラムから離間させる動作とを連動させることで、感光体ドラム１１や現像器７を装置本体から取り外す動作を行う前に、オペレータに操作を要求することなしに、ＬＥＤヘット１５をあらかじめ離間させておくことができる。
【００３２】
なお、前記ＬＥＤヘッド１５へ外力を付与する手段としては、前述したような本発明の実施形態に説明した構成に限られるものではなく、他の従来公知の技術手段を適用することも可能である。例えば、ワイヤ４９を巻き掻けるプーリ５５の配設位置や、ワイヤの掛け渡し経路等は、その画像形成装置の記録部の構造に応じて、適宜変更することが可能である。また、前記実施例では、フロントカバー６０を１枚の板材で構成した場合で説明したが、例えば、フロントカバーを内外の２重の板材で構成している場合には、そのうちの１つの板材を開閉する動作に連動させて、ＬＥＤヘッド１５を感光体ドラム１１に対して、近接・離間させるように構成することも、本発明の要旨に含まれる。
【図面の簡単な説明】
【００３３】
【図１】画像形成装置の構成を示す説明図である。
【図２】ＬＥＤヘッドの分解斜視図である。
【図３】ＬＥＤヘッドの組立斜視図である。
【図４】ＬＥＤヘッドの側面図である。
【図５】ＬＥＤヘッドを発光面側から見た斜視図である。
【図６】押圧手段の作用部の側面図である。
【図７】押圧手段の作用部の平面図である。
【図８】押圧手段の平面図である。
【図９】フロントカバーと動作アームの関係を示す説明図である。
【図１０】画像形成装置の外観斜視図である。
【符号の説明】
【００３４】
１    画像形成装置、  ２    給紙トレイ、  ３    給紙ローラ、  ４    用紙搬送路、  ５    レジストローラ装置、  ７    現像器ユニット、  ８    パドル、  ９    現像ローラ、  １０    記録部、  １１    感光体ドラム、  １２    クリーニング装置、  １３    帯電器、  １４    転写ローラ、  １５    書込み装置、  １６    定着装置、  １７    排出ローラ装置、  １８    排出トレイ、  ２０    戻し路、  ２１    ゲート、  ２２    搬送ローラ装置、  ２３    中間体、  ２４    側板、  ２５    手差しトレイ、  ２６    給紙ローラ、  ３０    ＬＥＤヘッド、  ３１    光出力部、  ３２    側突部、  ３３    保持枠、  ３４    側板、  ３５    ガイド溝、  ３６    上突部材、  ４０    上枠、  ４２    押し板、  ４３    スプリング、  ４５    押圧レバー、  ４６    シャフト、  ４７    ブラケット、  ４８    動作レバー、  ４９    ワイヤ、  ５１    動作アーム、  ５２    支軸、  ５３    ガイド部材、  ５５    ガイドプーリ、  ５６    フレーム、  ５７    開口、  ６０    フロントカバー、  ６１    ヒンジ、  ６２    リブ。
【図１】
2006018127.tif 000003
【図２】
2006018127.tif 000004
【図３】
2006018127.tif 000005
【図４】
2006018127.tif 000006
【図５】
2006018127.tif 000007
【図６】
2006018127.tif 000008
【図７】
2006018127.tif 000009
【図８】
2006018127.tif 000010
【図９】
2006018127.tif 000011
【図１０】
2006018127.tif 000012